(57)【特許請求の範囲】
【請求項１】
送風機ユニット、換気扇等を収容するフードであって、金属平板で背部ａ，左右側部ｂ，ｃを形成する周側板部材１と、天部ｄを形成する天板部材３とで前面及び下面が開口されたフード本体を構成し、他方、金属平板で前面部ｅ，左右側部ｆ，ｇを形成する周側板部材２と、天部ｈを形成する天板部材４とで前記フード本体の前面開口部を閉鎖する前板を構成し、前記フード本体の正面略門型をした前側縁に、前記前板の正面略門型をした後側縁を接合して構成されるフードにおいて、
前記フード本体及び前記前板の天板部材の天部側縁に連続して下方に垂下される垂下片を形成し、その垂下片の幅方向両側を除きその中間部を、垂下片の左右両側に折り返し重合する周側板部材の表面と面一となるように突出形成したことを特徴とする送風機、換気扇等のフード。
【発明の詳細な説明】
【０００１】
【発明が属する技術分野】
本発明は台所のガスコンロや電気コンロ等の調理器具の上方に設置される局所排気用のレンジフード、換気扇フード等のフードの構造に関する。
【０００２】
【従来の技術】
レンジフードや換気扇フード等のフードは、一般的にフードの内側に装備される送風機ユニットや換気扇の取り付け及び保守点検等の作業性を考慮して前面及び下面が開口したフード本体と、そのフード本体の前面開口部を閉鎖する如く接合取り付けられる前板の二部材で構成されている。
そして、そのフード本体Ａ及び前板Ｂは図４に示すように金属平板（例えば、亜鉛鋼板、プレコート鋼板、ラミネート鋼板等）で構成した周側板部材１，２と天板部材３，４とで構成され、天板部材３，４の前側縁に連続して下方に垂下される垂下片３’，４’の左右両側には周側板部材１，２の左右両側が内側に向けて直角に折り返されて前記垂下片３’，４’の表面に重合され、その重合部がスポット溶接又はカシメ結合されてフード本体Ａ、前板Ｂが構成されている。勿論、周側板部材１，２の上側縁は図示するように内側に向けて直角に折り返し、その折り返し部を夫々フード本体Ａの天板部材３、前板Ｂの天板部材４の表面に重合し、同様にスポット溶接又はカシメ結合されている。従って、フード本体Ａ及び前板Ｂの接合縁における上辺の左右両側に段差が生じる。（図５参照）
【０００３】
【発明が解決しようとする課題】
上記の如く構成されたフード本体Ａにおける正面略門型をした前側縁に、前板Ｂの正面略門型をした後側縁を接合することでフードが組み立てられ、そのフードは側面から見てフード本体と前板との接合面が密着して現わされ、外観的に綺麗に仕上げられている。
即ち、フード本体及び前板を上記したような構成としたのは、レンジフードが吊戸棚などの間に設置された場合、フード本体と前板との合せ面は吊戸棚の表面より前方に位置しており、特に左右側面に現れる合せ面は使用者の目に入ることになる。従って、左右側面に現れるフード本体と前板との合せ面をピッタリ合わせるために上記構成が採用されている。
【０００４】
しかしながら、上記した構成によりフード本体Ａに前板Ｂを接合した場合、フード本体Ａの門型をした前側縁の上辺と、前板Ｂの門型をした後側縁の上辺との間に両者の周側板部材１，２の板厚の合計分の隙間が発生することになる。
従って、フード内に捕集された燃焼廃ガスや油煙等は通常はフード内に装備された送風機ユニットや換気扇の作動で屋外に排出されるが、炒め物や魚焼き等、大量に油煙等が発生した場合にはその一部がこの隙間よりフード外に漏れ出るといった問題点を有していた。
【０００５】
本発明は上記した従来の技術が有する問題点に鑑みてなされたもので、その目的とするところは、フード本体及び前板のプレス加工を変えるだけで両者の上辺接合部に隙間が生じないレンジフードを提供することにある。
【０００６】
【課題を解決するための手段】
上記の目的を達成する為に本発明が講じた技術的手段は、フード本体及び前板の天板部材に連設される垂下片の幅方向両側を除きその中間部を、垂下片の左右両側に折り返し重合する周側板部材の表面と面一となるように突出形成した構成を特徴とする。
即ち、フード本体または前板に形成する突出部の幅は、前記したように垂下片の左右両側に周側板部材の折り返し部が重合されるが、この左右の重合部を除いた中間部全長部分である。
【０００７】
更に、上記フード本体または前板の天板部材の垂下片における突出部と左右両側の段差部との境は綺麗に直角となるように成形し、左右の折り返し片の表面と突出部の表面との間に段差が生じないようにする。
【０００８】
上記した手段によれば、フード本体の正面略門型をした前側縁及び前板の正面略門型をした後側縁は、それぞれ全面が面一となり、フード本体と前板を接合した場合、門型の縁全面が密着する。
因って、燃焼廃ガスや油煙がフードから漏れ出ることがなくなり、捕集効率を高めることができる。
【０００９】
【発明の実施の形態】
以下、本発明の実施の形態の一例を図面に基づいて説明する。
図１は、フードの構成を示す分解斜視図で、前面及び下面が開口したフード本体Ａと、そのフード本体Ａの前面開口部を閉鎖する如く接合取り付けられる前板Ｂの二部材で構成されている。
そして、そのフード本体Ａは金属平板（例えば、亜鉛鋼板、プレコート鋼板、ラミネート鋼板等）で背部ａ，左右側部ｂ，ｃを形成する周側板部材１と、天部ｄを形成する天板部材３とで構成され、天板部材３には天部ｄの前側縁に連続して下方に垂下される垂下片３’が一体に構成されており、その垂下片３’における左右両側の周側板部材１の折り返し部１’が重合される部分を除いてその中間部分（イ）全体が前記周側板部材１の板厚分だけ前方に突出されている。
それにより垂下片３’及び左右の折り返し部１’とで形成される正面略門型の接合縁の表面は面一に構成される。
尚、周側板部材１の左右の折り返し部１’は垂下片３’に、周側板部材１の上側の折り返し部１”は天板部材３の前側縁を除いた周縁の表面に重合し、夫々スポット溶接又はカシメ結合してフード本体Ａが形作られている。
【００１０】
また、前板Ｂは前記したフード本体Ａと同様、金属平板（例えば、亜鉛鋼板、プレコート鋼板、ラミネート鋼板等）で前面部ｅ，左右側部ｆ，ｇを形成する周側板部材２と、天部ｈを形成する天板部材４とで構成され、天板部材４には天部ｈの後側縁に連続して下方に垂下される垂下片４’が一体に構成されており、その垂下片４’における左右両側の周側板部材２の折り返し部２’が重合される部分を除いてその中間部分（ロ）全体が前記周側板部材２の板厚分だけ前方に突出されている。
それにより垂下片４’及び左右の折り返し部２’とで形成される正面略門型の接合縁の表面は面一に構成される。
尚、周側板部材２の左右の折り返し部２’は垂下片４’に、周側板部材２の上側の折り返し部２”は天板部材４の前側縁を除いた周縁の表面に重合し、夫々スポット溶接又はカシメ結合して前板Ｂが形作られている。
【００１１】
従って、上記の如く構成したフード本体Ａの正面略門型をした前側縁に、前板Ｂの正面略門型をした後側縁を接合すれば、両者の門型をした三辺はピッタリと密着して両者間に従来問題された隙間は生じなくなる。
【００１２】
図中、５はフード本体Ａの垂下片３’に切り起こしによって突出形成した係合片で、垂下片３’には更に前記係合片５より下方位置に前板Ｂを一時的に引っ掛け保持する掛け止め片６が前方に突出して固着されている。他方、前板Ｂの垂下片４’には前記係合片５に嵌合する係合孔７が開設されている。８はフード本体Ａと前板Ｂの接合状態を保持するロック部材である。
【００１３】
【発明の効果】
本発明のフードは請求項１に記載の構成により、フード本体と前板との正面略門型をした接合縁はその表面が面一となってピッタリ接合し、従来問題とされた隙間は発生しなくなる。
それにより、燃焼廃ガスや油煙がフードから漏れ出ることがなくなり、捕集効率を高めることができるフードを提供できる。
【図面の簡単な説明】
【図１】本発明に係るフードの実施の形態の一例を示す分解斜視図である。
【図２】フード本体と前板を接合した状態の拡大断面図である。
【図３】図１における（Ｘ）−（Ｘ）線、及び（Ｙ）−（Ｙ）線に沿える拡大断面図である。
【図４】従来のフードの構造を示す分解斜視図である。
【図５】図４における垂下片と左右の折り返し部との重合構造を示す拡大断面図である。
【符号の説明】
Ａ…フード本体                    Ｂ…前板
１…フード本体の周側板部材        ２…前板の周側板部材
３…フード本体の天板部材          ４…前板の天板部材
【図１】
0003817003.tif 000002
【図２】
0003817003.tif 000003
【図３】
0003817003.tif 000004
【図４】
0003817003.tif 000005
【図５】
0003817003.tif 000006